(57)【要約】【課題】流入口から流入する雨水等又は流出口から流出する雨水等の流路を確保しながら、雨水等に含まれるごみを除去することで流路が閉塞され難く、壁面から突出した管がなくとも取り付けることができるごみ除去具を提供する。【解決手段】壁面３に形成される流入口４又は流出口４から流入又は流出する流体に含まれるごみを除去するためのごみ除去具１０であって、一端に開口部１ａを有する袋状の網体１と、開口部１ａに設けられ、開口部１ａの開口径を調整するための紐２と、網体１の外周面上において、開口部１ａから所定距離離れた円周上に、全周にわたって、連続的又は断続的に設けられる取付部１ｂと、開口部１ａと取付部１ｂが重なり合うように網体１が折り畳まれた状態で、壁面３に開口部１ａ、紐２及び取付部１ｂを固定するための固定用部材６、７、８とを備えるごみ除去具１。【選択図】図１
2018100540.tif 000002
【特許請求の範囲】
【請求項１】
壁面に形成される流入口又は流出口から流入又は流出する流体に含まれるごみを除去するためのごみ除去具であって、
一端に開口部を有する袋状の網体と、
前記開口部に設けられ、該開口部の開口径を調整するための紐と、
前記網体の外周面上において、前記開口部から所定距離離れた円周上に、全周にわたって、連続的又は断続的に設けられる取付部と、
前記開口部と前記取付部が重なり合うように前記網体が折り畳まれた状態で、前記壁面に前記開口部、前記紐及び前記取付部を固定するための固定用部材とを備えることを特徴とするごみ除去具。
【請求項２】
前記取付部は、前記網体の一部を重畳させて形成されることを特徴とする請求項１に記載のごみ除去具。
【請求項３】
前記網体の他端は、切妻屋根状に拡がるように形成されることを特徴とする請求項１又は２に記載のごみ除去具。
【請求項４】
前記固定用部材は、一端に雄ねじ部を有し、他端が前記壁面に打ち込まれるアンカーボルトと、
該雄ねじ部材の前記雄ねじ部と螺合するナットとを備えることを特徴とする請求項１、２又は３に記載のごみ除去具。
【発明の詳細な説明】
【技術分野】
【０００１】
本発明は、ごみ除去具に関し、特に、雨水貯留槽の入口や排水溝等、浮遊するごみの多い流路に取り付けられるごみ除去具に関する。
【背景技術】
【０００２】
雨水貯留槽に流入する雨水に含まれるごみを除去するためのフィルターとして、特許文献１には、雨水貯留槽の内壁から突出する流入管に設けられたフレームに上下方向に取り外し可能なものが提案されている。しかし、このごみ除去フィルターは、着脱が容易であるが、ごみ除去フィルターの購入・設置コストが掛かる。また、このフィルターは、ごみ捕集容量が比較的小さく、捕集したごみによって雨水の流入が阻害されるおそれがあり、フィルターを頻繁に取り外してごみを取り除く必要があった。
【０００３】
一方、特許文献２には、厨房等の排水から塵芥を除去するため、排水路の途中に設けられる貯留槽に、貯留槽の内壁から突出する流入管に対して袋状の網体からなる水切りネットを取り付けることが記載されている。しかし、この水切りネットは、排水の流れが速い場合や、ネットに溜まったごみの量が多い場合には、面ファスナーのみで取り付けられるため、ネットが流入管の外周面から外れるおそれがあった。
【０００４】
そこで、上記問題点に鑑み、本出願人は、購入・設置コストを低く抑えると共に、流入管からの脱落のおそれのないごみ除去具として、一端に開口径を調整可能な開口部を有する袋状の網体と、開口部に設けられ、網体の一端を壁面に取り付けるための紐と、壁面に設けられ、壁面に紐を固定するための紐固定用部材とを備えるごみ除去具を考案した（特許文献３）。
【先行技術文献】
【特許文献】
【０００５】
【特許文献１】特許第５８１６２０７号公報
【特許文献２】特許第４０７９９５７号公報
【特許文献３】実用新案登録第３２０３００３号公報
【発明の概要】
【発明が解決しようとする課題】
【０００６】
特許文献３に記載のごみ除去具は、袋状の網体、紐及び紐固定用部材だけで構成されるため、購入・設置コストを低く抑えることができ、流入管からの脱落を考慮する必要がないなど有効に機能する。
【０００７】
また、このごみ除去具は、雨水貯留槽等の流入口を覆うように貯留槽等の内部に取り付けた場合には、流入する雨水により、流入口から下流側に拡がりながら垂れ下がった網体の下端部にごみが捕集されるため、流路が閉塞され難く有効である。
【０００８】
しかし、このごみ除去具を用いて雨水貯留槽等の流出口から流出する雨水のごみを捕集するには、網体の開口端を雨水貯留槽等の内壁に固定し、網体全体を流出口に接続されている配管の内部に挿入して袋状に広げることが考えられるが、このようにすると、流路上の網体にごみが捕集されるため、流路が閉塞し易いという問題があった。
【０００９】
また、このごみ除去具は、壁面から突出した管を利用して取り付けているため、管が存在しない既存の枡等には取り付けられない場合があった。
【００１０】
そこで、本発明は上記問題点に鑑みてなされたものであって、流入口から流入する、又は流出口から流出する雨水等の流路を確保しながら、雨水等に含まれるごみを除去することで流路が閉塞され難く、壁面から突出した管がなくとも取り付けることができるごみ除去具を提供することを目的とする。
【課題を解決するための手段】
【００１１】
上記目的を達成するため、本発明は、壁面に形成される流入口又は流出口から流入又は流出する流体に含まれるごみを除去するためのごみ除去具であって、一端に開口部を有する袋状の網体と、前記開口部に設けられ、該開口部の開口径を調整するための紐と、前記網体の外周面上において、前記開口部から所定距離離れた円周上に、全周にわたって連続的又は断続的に設けられる取付部と、前記開口部と前記取付部が重なり合うように前記網体が折り畳まれた状態で、前記壁面に前記開口部、前記紐及び前記取付部を固定するための固定用部材とを備えることを特徴とする。
【００１２】
本発明に係るごみ除去具を雨水貯留槽等の流出口から流出する雨水のごみを捕集するため、網体の開口端を雨水貯留槽等の内壁に固定すると、網体が流出口を立体的に覆うため、流体が通過してごみが捕集される表面積が増加し、その分だけ流路が閉塞され難くなる。また、このごみ除去具を雨水貯留槽等の流入口を覆うように貯留槽等の内部に取り付ける場合には、網体を折り畳まずに取り付けることで、上記従来技術と同様に、流入口から下流側に拡がりながら垂れ下がった網体の一端にごみが捕集されるため、流路が閉塞され難い。すなわち、本発明に係るごみ除去具によれば、流入口及び流出口の両方に対応することができる。
【００１３】
さらに、壁面に開口部及び紐、あるいは開口部、紐及び取付部を固定するため、壁面とごみ除去具の間に隙間ができ難く、壁面から突出した管がなくとも取り付けることができる。
【００１４】
上記ごみ除去具において、前記取付部を前記網体の一部を重畳させて形成することができる。これにより、簡単な構成で網体の固定用部材との当接部を補強することができる。
【００１５】
前記網体の他端を切妻屋根状に拡がるように形成することができる。これにより、本発明に係るごみ除去具を、流出口から流出する雨水のごみを捕集するために網体の開口端を雨水貯留槽等の内壁に固定した場合に、流体が通過してごみが捕集される表面積をさらに増加させることができ、さらに流路が閉塞され難くなる。
【００１６】
前記固定用部材を、一端に雄ねじ部を有し、他端が前記壁面に打ち込まれるアンカーボルトと、該雄ねじ部材の前記雄ねじ部と螺合するナットとで構成することができる。
【発明の効果】
【００１７】
以上のように、本発明によれば、流入口から流入する、又は流出口から流出する雨水等の流路を確保しながら、雨水等に含まれるごみを除去することで流路が閉塞され難く、雨水貯留槽等の設置場所やこれに付設される設備の設計に影響を及ぼすことになる。
【図面の簡単な説明】
【００１８】
【図１】本発明に係るごみ除去具の網体及び紐を示し、（ａ）は正面図、（ｂ）側面図、（ｃ）は底面図、（ｄ）は斜視図であって、これらは網体を拡げた状態を示す。
【図２】本発明に係るごみ除去具の取付方法を説明するための図であって、壁面、流出口及び固定用部材を示し、（ａ）は正面図、（ｂ）は側面図である。
【図３】本発明に係るごみ除去具の取付方法を説明するための図であって、ごみ除去具を流出口を覆うように壁面に取り付けた状態を示す部分断面図である。
【図４】図３に示すごみ除去具の取付部分（Ａ部）を拡大した図である。
【図５】図３に示すごみ除去具の取付部分（Ａ部）を示す断面図である。
【図６】本発明に係るごみ除去具を流入口を覆うように壁面に取り付けた状態を示す部分断面図である。
【発明を実施するための形態】
【００１９】
次に、本発明を実施するための形態について、図面を参照しながら詳細に説明する。
【００２０】
図１は、本発明に係るごみ除去具に用いられる網体を示し、この網体１は、例えば、メッシュ径９ｍｍ程度のポリエチレン樹脂等からなり、上端部に形成される開口部１ａと、中央部に形成される重畳部１ｂとを有し、開口部１ａの開口径を調整するために開口部１ａに２つの紐通し口１ｃが設けられ、これらの紐通し口１ｃの間に紐２が挿入されている。
【００２１】
図１（ｄ）に示すように、網体１は、下端部が切妻屋根状に拡がるように形成される。これにより、網体１の下端部を通常の袋よりもより立体的に拡げることが可能になり、強度を高めることができる。
【００２２】
重畳部１ｂは、開口部１ａに平行となるように網体１の一部を重ねて縫い合わせることで形成され、後述するように、網体１を折り畳むときの目印になると共に、網体１の網目を補強している。
【００２３】
紐通し口１ｃに挿入される紐２は、例えばポリロープを用いることができる。この紐２を引っ張ったり緩めたりすることで網体１の開口部１ａの開口径を調整することができ、網体１は巾着袋状に形成される。
【００２４】
次に、上記構成を有する網体１及び紐２を雨水貯留槽に取り付けてごみ除去具を構成する要領について、図１〜図５を参照しながら説明する。
【００２５】
網体１の取付を行う前に、図２に示すように、壁面３に対し、径６．４ｍｍ程度、深さ３６ｍｍ程度の下孔５を流出口４の軸を中心に略々６０°間隔で流出口４の周囲にコンクリートドリルで削孔し、これらの下孔５にアンカーボルト６を打ち込み、アンカーボルト６の雄ねじ部６ａに丸座金７を取り付けておく。また、網体１の開口部１ａが重畳部１ｂよりも内側に位置する状態で開口部１ａ及び重畳部１ｂが互いに重なるように網体１を折り畳んでおく。
【００２６】
次に、上述のように折り畳んだ網体１及び紐２を壁面３に実際に取り付ける。図３〜図５に示すように、まず、各アンカーボルト６に丸座金７を挿入し、網体１の開口部１ａ及び重畳部１ｂの網目を各アンカーボルト６の雄ねじ部６ａに掛け、網体１と紐２を押さえるように各雄ねじ部６ａに丸座金７を取り付ける。尚、図５において、開口部１ａ及び重畳部１ｂは２枚の網が重畳しているため、開口部１ａ及び重畳部１ｂを２層ずつ描いている。
【００２７】
各雄ねじ部６ａの間で網体１の開口部１ａ及び重畳部１ｂが均等に絞られるように紐２を引っ張った状態で紐２の両端を２つの雄ねじ部６ａに結び付け、ナット８を各雄ねじ部６ａに螺合させ、網体１及び紐２を流出口４を覆うように壁面３に固定し、ごみ除去具１０を構成する。このように、本発明に係るごみ除去具１０は、網体１の開口部１ａと紐２をアンカーボルト６とナット８等で壁面３に押さえるようにして取り付けられるため、壁面３と網体１との間に隙間ができ難く、突出した管が存在しない流出口４に取り付けてもごみが漏れることもない。
【００２８】
次に、上記ごみ除去具１０の動作について図３を参照しながら説明する。流出口４に対し、紙面手前側から紙面奥側に向かって雨水が流れると、雨水はごみ除去具１０の網体１を通過して流出口４から外部へ流出し、雨水に含まれるごみが網体１の表面に捕集されることになる。
【００２９】
ここで、上記特許文献３に記載のごみ除去具を流出口４を覆うように取り付け、網体全体を流出口４に接続されている配管（不図示）の内部に挿入して袋状に広げると、流路上の網体にごみが捕集されるため、流路が閉塞し易くなる。しかし、本発明では、網体１を折り畳んで取り付けると共に、網体１の下端部を切妻屋根状に拡がるように形成して網体１が流出口４を立体的に覆うため、雨水が通過してごみが捕集される表面積が増加し、雨水の流路を確保しながらごみを捕集することができる。
【００３０】
尚、網体１の表面に捕集されたごみは、雨水が流出し終わると、網体１にそのまま付着していたり網体１から落下するが、網体１を壁面３から取り外した後に裏返すことで、網体１に付着しているごみと共に網体１を簡単に処分することができる。
【００３１】
次に、上記網体１を流入口４を覆うように壁面３に取り付けた場合について図６を参照しながら説明する。この場合には、網体１の開口部１ａと紐２のみを壁面３に固定し、網体１を折り畳まない。このようなごみ除去具１０によれば、紙面奥側から紙面手前側に向かって雨水が流れると、従来技術と同様に、流入口４から下流側に拡がりながら垂れ下がった網体１の一端にごみが捕集されるため、流路が閉塞され難い。
【００３２】
上記実施の形態においては、網体１を雨水貯留浸透槽の内壁面３に取り付ける場合について説明したが、マンホール等の内壁面等に取り付けてもよく、ごみを含む流体としては雨水に限らない。
【００３３】
また、網体１を流出口４に取り付けた際の流路の確保を考慮し、網体１の下端部が切妻屋根状に拡がるように形成した場合について説明したが、網体１を重畳部１ｂを介して壁面３に折り畳んで取り付けるだけで、網体１の下端部を通常の袋と同様に拡がるように形成してもよい。
【００３４】
さらに、取付部として重畳部１ｂを採用した場合について説明したが、この重畳部１ｂのように、全周にわたって連続的に形成する必要はなく、断続的に形成してもよいし、網体１の一部を用いずに別部材を取り付けて取付部を構成してもよい。
【００３５】
尚、流入出口４の開口径に応じて大きさの異なる数種類の網体１を用意してもよく、網体１を大きくするに従って、メッシュ径を変更したり、紐２を太くしてもよい。また、アンカーボルト６等を流入出口４の軸を中心に略々６０°間隔で流出口４の周囲に配置すると説明したが、この間隔は取り付ける網体１の大きさによって適宜調節される。
【符号の説明】
【００３６】
１  網体
１ａ  開口部
１ｂ  重畳部
１ｃ  紐通し口
２  紐
３  壁面
４  流入出口
５  下孔
６  アンカーボルト
６ａ  雄ねじ部
７  丸座金
８  ナット
１０  ごみ除去具
【図１】
2018100540.tif 000003
【図２】
2018100540.tif 000004
【図３】
2018100540.tif 000005
【図４】
2018100540.tif 000006
【図５】
2018100540.tif 000007
【図６】
2018100540.tif 000008